(57)【要約】      （修正有）【課題】良好な着用感が得られ、開口縁が伸縮しやすく陰茎の出し入れを容易に行うことが可能となる男性用パンツを提供する。【解決手段】男性用パンツ１の正面中央に設けられた前身頃中央部３が、外側生地６と内側生地７とが重合された構成を有するとともに、外側生地および内側生地にはそれぞれ開口部Ｏが形成されている。そして、開口部の開口縁６ａ、７ａを、端始末不要な、切りっぱなし構造としたことを特徴とする。【選択図】図１
0003215993.tif 000002
【実用新案登録請求の範囲】
【請求項１】
正面中央に前身頃中央部を有する男性用パンツであって、当該前身頃中央部は、外側生地と内側生地とが重合された構成を有するとともに、上記外側生地および内側生地にそれぞれ開口部が形成された男性用パンツにおいて、
上記外側生地および内側生地の上記開口部の開口縁を、裁断されたままの状態で端始末不要な、切りっぱなし構造としたことを特徴とする男性用パンツ。
【請求項２】
外側生地および内側生地の開口縁が裏面に向けてカールする場合、
上記前身頃中央部を、上記外側生地の裏面と内側生地の裏面とが密着するように重合させて構成したことを特徴とする請求項１に記載の男性用パンツ
【請求項３】
上記前身頃中央部を構成する外側生地および内側生地が同形状を有していることを特徴とする請求項１または請求項２のいずれかに記載の男性用パンツ。
【考案の詳細な説明】
【技術分野】
【０００１】
本考案は男性用パンツに関し、詳しくは外側生地と内側生地とを重合して構成した前身頃中央部に開口部が形成された男性用パンツに関する。
【背景技術】
【０００２】
従来、男性用パンツとして、正面中央に設けられた前身頃中央部を、外側生地と内側生地とを重合させて構成し、さらに上記外側生地および内側生地にそれぞれ開口部を形成したものが知られている（特許文献１）。
このような男性用パンツによれば、上記開口部を介して着用者の陰茎を外部に露出させることが可能となっている。
【先行技術文献】
【特許文献】
【０００３】
【特許文献１】特開平８−１００３０２号公報
【考案の概要】
【考案が解決しようとする課題】
【０００４】
ここで、上記特許文献１の男性用パンツにおいて、上記前身頃中央部に形成された開口部の開口縁には、生地のほつれ等を防止するための端始末処理が行われている。生地のほつれ等を防止するための端始末としては、カットした生地の端末を２重に折って縫い止めたり、端部にテープを縫着や接着により接合してほつれを防止する方法も挙げられる。
しかしながら、このような端始末処理は、当該部分が厚くなることから、肌への接触が強くなって着用感が低下するという問題があり、また上記処理によって開口部が伸縮しにくく、開口部から陰茎を出す際の妨げになるという問題もあった。
このような問題に鑑み、本考案は良好な着用感が得られるとともに、開口部からの陰茎の出し入れを容易に行うことが可能な男性用パンツを提供するものである。
【課題を解決するための手段】
【０００５】
すなわち請求項１の考案にかかる男性用パンツは、前身頃の中央に前身頃中央部を有する男性用パンツであって、当該前身頃中央部は、外側生地と内側生地とが重合された構成を有するとともに、上記外側生地および内側生地にそれぞれ開口部が形成された男性用パンツにおいて、
上記外側生地および内側生地の上記開口部の開口縁を、裁断されたままの状態で端始末不要な、切りっぱなし構造としたことを特徴としている。
【考案の効果】
【０００６】
上記考案によれば、前身頃中央部の外側生地および内側生地に形成した開口部の開口縁を切りっぱなし構造としたため、端始末処理による着用感の低下がなく、また切りっぱなし構造とすることで開口部の開口縁が伸縮しやすいことから、開口部からの陰茎の出し入れを容易に行うことが可能となる。
【図面の簡単な説明】
【０００７】
【図１】男性用パンツの正面図
【図２】男性用パンツの背面図
【図３】男性用パンツを構成する部材を採取するための型どりを説明する図
【図４】中身頃中央部の構成を説明する断面図
【考案を実施するための形態】
【０００８】
以下図示実施例について説明すると、図１は本実施例にかかる男性用パンツ１の正面図を示し、図２は当該男性用パンツ１の背面図を示している。
上記男性用パンツ１は複数の部材によって構成され、男性用パンツ１の正面左右に設けられた前身頃側部２Ｌ、２Ｒと、正面中央に設けられた前身頃中央部３と、背面に設けられた後身頃４と、上部に設けられた環状の腰バンド５とによって構成されている。
また上記前身頃中央部３は、外部に位置する外側生地６と、着用者側となる内部に位置する内側生地７とを重合させた構成を有し、後述するようにこれら外側生地６と内側生地７とは同形状を有している。
上記腰バンド５を除く、上記前身頃側部２Ｌ、２Ｒ、前身頃中央部３、後身頃４は、図３に示すように一枚の生地より採取することが可能となっており、上記腰バンド５には従来公知のゴムバンドを採用することができる。
上記生地としては裁断されたままの状態で端始末不要なものであれば、経編み、横編み等いずれの編地も採用することができるが、具体的に、例えばナイロン９０％、ポリウレタン１０％によって構成される２ｗａｙトリコットを採用することができる。
このような生地はその端部がカールしてしまうという性質を有する場合もある。
そして、上記生地としては、必要に応じて機能性を持たせることが可能であり、例えば吸水速乾機能や、抗菌防臭機能を有した生地を採用することも可能である。
【０００９】
さらに、上記前身頃側部２Ｌ、２Ｒ、前身頃中央部３、後身頃４といった部材は、それぞれミシン等によって縫着されており、例えば従来公知のオーバーロック縫いによって縫着することができる。
上記オーバーロック縫いは、図４に示すように各部材の端部に所定幅の縫い代を設定し、隣接する部材の縫い代同士を重合させた状態で、これらを縫い合わせるものとなっている。
例えば前身頃側部２Ｌ、２Ｒと後身頃４とを縫着する際には、生地の表面が外部を向くよう、上記縫い代の表面側同士を密着させて縫着し、当該縫着部分Ｓで折り曲げるとともに当該縫着部分Ｓを男性用パンツ１の内部に向けて突出させるようにしている。
このようにすることで、前身頃側部２Ｌ、２Ｒおよび後身頃４を構成する生地の表面が外部を向き、縫着部分Ｓが男性用パンツ１の内側に位置するため、男性用パンツ１の見栄えをよくすることができる。なお、肌触り等を重視して上記縫着部分Ｓを外部に露出させてもよい。
【００１０】
そして本実施例の男性用パンツ１における、着用者の大腿部が通過する大腿部用開口部ＯＬは、上記前身頃側部２Ｌ、２Ｒおよび後身頃４によって構成され、当該大腿部用開口部ＯＬの開口縁は端始末不要な、切りっぱなし構造となっている。
切りっぱなし構造とすることで、着用者が本実施例の男性用パンツ１の上にズボンを着用しても、上記端始末処理による凹凸が現れず、見栄えを良くすることができる。
一方、上記前身頃側部２Ｌ、２Ｒおよび後身頃４に使用する生地は使用によりその端部が裏側にカールしてしまう傾向が見られ、当該大腿部用開口部ＯＬの開口縁がカールしてしまう場合もあるが、前身頃側部２Ｌ、２Ｒおよび後見頃４は表面が外部を向くように設けられていることから、上記カールが裏面側となる内部に向けて形成されることとなり、見栄え上の悪影響を抑えることができる。
【００１１】
次に、上記前身頃中央部３について説明すると、図４は図１におけるＩＶ―ＩＶ部の断面図を示しており、前身頃中央部３は同形状を有する外側生地６と内側生地７とが裏面同士を向き合うように重合させた構成を有している。
また上記前身頃中央部３には開口部Ｏが形成されており、本実施例の男性用パンツ１を着用した着用者は、上記開口部Ｏを介して陰茎を外部に露出させることが可能となっている。
上記外側生地６の図示左方側および内側生地７の図示右方側には、縦方向に形成された略円弧状の開口縁６ａ、７ａが形成され、上記前身頃側部２Ｌ、２Ｒに上記前身頃中央部３を縫着すると、上記開口縁６ａ、７ａと上記前身頃側部２Ｌ、２Ｒの縁部とによって開口部Ｏが形成されるようになっている。
【００１２】
そして本実施例の男性用パンツ１は、上記開口部Ｏの開口縁６ａ、７ａを、端始末不要な切りっぱなし構造としたことを特徴としている。
このように、開口部Ｏの開口縁６ａ、７ａを切りっぱなし構造とすることで、前身頃中央部３における生地を薄くすることができ、着用者に快適な着用感を与えるとともに、生地が有する伸縮性により開口縁６ａ、７ａが伸縮するため、陰茎の出し入れを容易に行うことが可能となる。
これに対し、開口部Ｏの開口縁６ａ、７ａに端始末処理をした場合、当該部分の生地が厚くなるため着用者に不快感を与えることがあり、また端始末処理によって開口縁６ａ、７ａの伸縮性が妨げられることから、陰茎の出し入れがやりにくくなるという問題がある。
【００１３】
図４に示すように、上記外側生地６は左側に位置する左外側生地６Ｌと、右側に位置する右外側生地６Ｒとによって構成され、上記開口部Ｏを構成する開口縁６ａは上記右外側生地６Ｒに形成されている。
これと同様、内側生地７も左側に位置する左内側生地７Ｌと、右側に位置する右内側生地７Ｒとによって構成され、上記開口部Ｏを構成する開口縁７ａは上記左内側生地７Ｌに形成されている。
上述したように、上記外側生地６を構成する上記左外側生地６Ｌと右外側生地６Ｒとは、表面が外部を向くように配置され、またこれらの縫着部分Ｓは内側すなわち上記内側生地７に向けて設けられている。
このようにすることで、上記右外側生地６Ｒに形成した開口縁６ａが、カールしたとしても、当該カールが男性用パンツ１の内側に向けて形成され、また縫着部分Ｓを内側に設けることで、外部から見た際の見栄えをよくするようになっている。
これに対し、内側生地７を構成する左内側生地７Ｌと右内側生地７Ｒとは、表面が内側すなわち着用者側を向くように配置され、またこれらの縫着部分Ｓは外側すなわち上記外側生地６に向けて設けられている。
このようにすることで、上記左内側生地７Ｌに形成した開口縁７ａが、カールしたとしても、当該カールが男性用パンツ１の外側に向けて形成されるため、当該カールによる着用感の低下を防止することができる。さらに縫着部分Ｓを外側に設けることによっても着用感の低下を防止している。
【００１４】
図３は一枚の生地から上記男性用パンツ１を構成する、上記腰バンド５を除いた各部材を採取するための型どり図を示したものであり、本実施例では一枚の生地から男性用パンツ１を８枚分採取することができ、また本図に示されている側が当該生地の表面を示しているものとする。
本実施例では、上記開口縁６ａ、７ａの形成されている上記右外側生地６Ｒと左内側生地７Ｌとを同じ型から採取することができ、また左外側生地６Ｌと右内側生地７Ｒも同じ型から採取することが可能となっている。
ここで、上述したように本実施例の生地は裏側にカールしてしまう傾向が見られたため、上記外側生地６と内側生地７は裏面同士を密着させて重合させることから、右内側生地７Ｒについては、左外側生地７Ｌと同形状の生地を裏返しにして使用し、これと同様、左内側生地７Ｌについても、右外側生地６Ｒと同形状の生地を裏返しにして使用することで、内側生地７を構成することが可能となる。
ここで、縦方向と横方向とで伸縮性が異なる生地を用いる場合には、上記開口縁６ａ、７ａの向きを当該生地の伸縮する方向に合わせて、左外側生地６Ｌと右内側生地７Ｒを４５度程度まで傾けて型どりしてもよい。
他にも、一般的な肌着の生地は縦方向には伸びずに横方向に伸びる傾向があるため、生地に対して傾けて型どりすることにより、開口縁だけでなく、開口部Ｏのカールを抑制することも可能である。縦方向および横方向の双方に生地が伸びる場合も、基本的には横方向の伸縮性が高くなるように配置することが望ましいが、着用感や生地の取り具合などを考慮してどちらかを選択して判断すればよい。
【００１５】
以上のように、本実施例の男性用パンツ１によれば、前身頃中央部３に設けた開口部Ｏの開口縁６ａ、７ａが切りっぱなし構造となっているため、端始末処理をした場合に比べて着用者に触れる生地を薄くでき、快適な装着感を得ることができる。また切りっぱなし構造とすることで開口縁６ａ、７ａが伸縮しやすくなり、開口部Ｏからの陰茎の出し入れを容易に行うことが可能となる。
また、上記前身頃中央部３において、外側生地６の裏面と内側生地７の裏面同士が密着するように重合させることで、上記開口縁６ａ、７ａがカールしても、外側生地６ではカールが内部側に形成されて見栄えの悪化が防止され、また内側生地７ではカールが外部側に形成されて着用感の悪化を防止することができる。
なお、本実施例の生地は上下が裏面にカールする傾向が見られたが、生地によってカールの方向が異なる場合もあるため、その生地に応じて、見た目や風合い、着心地によって生地の方向を考慮して型どりすることが重要である。
さらに、本実施例では上記前身頃中央部３を構成する外側生地６および内側生地７を同形状とすることができ、男性用パンツ１を構成する部材を生地から採取するための型どりを容易に行うことが可能となっている。
【００１６】
なお、上記実施例の男性用パンツ１はいわゆるボクサーブリーフタイプであるが、ブリーフタイプや脚部が長いスパッツタイプであってもよく、このように前身頃中央部を備えた様々なタイプの男性用パンツに適用することができる。
また上記実施例では、中身頃中央部３を構成する外側生地６および内側生地７はそれぞれ２枚の生地によって構成されているが、これをそれぞれ一枚の生地によって構成してもよく、この場合も外側生地６および内側生地７を同形状の生地として、その裏面同士を接触させて用いることができる。
【符号の説明】
【００１７】
１  男性用パンツ                    ２Ｌ、２Ｒ  前身頃側部
３  前身頃中央部                    ４  後身頃
６  外側生地                        ６ａ  開口縁
６Ｌ  左外側生地                    ６Ｒ  右外側生地
７  内側生地                        ７ａ  開口縁
７Ｌ  左内側生地                    ７Ｒ  右内側生地
Ｏ  開口部
【図１】
0003215993.tif 000003
【図２】
0003215993.tif 000004
【図３】
0003215993.tif 000005
【図４】
0003215993.tif 000006